(57)【要約】【課題】商品に悪影響を与えることなく、簡単な運転制御で消費電力量の低減化を図ることができる自動販売機の庫内温度制御装置を提供すること。【解決手段】商品収容庫（３）の庫内温度を検知する庫内温度センサＳ１と、通常運転時には、庫内温度と予め設定された通常上下限温度とを比較して冷却機１１ａを駆動及び駆動停止させ、ピークシフト運転時には、庫内温度と、予め設定され、かつ通常上下限温度よりも低いピークシフト上下限温度とを比較して冷却機１１ａを駆動及び駆動停止させ、ピークシフト運転に連続して続くピークカット運転時には、庫内温度が予め決められたピークカット解除温度を超えるまで冷却機１１ａを強制的に駆動停止させる制御部３０とを備えた自動販売機の庫内温度制御装置において、制御部３０は、ピークシフト運転時におけるピークカット運転に移行するまでの予め決められた移行時間は、冷却機１１ａを強制的に駆動させるものである。【選択図】図３
2010238071.tif 000002
【特許請求の範囲】
【請求項１】
商品を収容する収容庫の庫内温度を検知する庫内温度検知手段と、
通常運転時には、前記庫内温度検知手段により検知された庫内温度と、予め設定された通常上下限温度とを比較して冷却機を駆動及び駆動停止させ、ピークシフト運転時には、前記庫内温度と、予め設定され、かつ前記通常上下限温度よりも低いピークシフト上下限温度とを比較して前記冷却機を駆動及び駆動停止させ、前記ピークシフト運転に連続して続くピークカット運転時には、前記庫内温度が予め決められたピークカット解除温度を超えるまで前記冷却機を強制的に駆動停止させる制御手段と
を備えた自動販売機の庫内温度制御装置において、
前記制御手段は、前記ピークシフト運転時における前記ピークカット運転に移行するまでの予め決められた移行時間は、前記冷却機を強制的に駆動させることを特徴とする自動販売機の庫内温度制御装置。
【請求項２】
前記移行時間は、可変であることを特徴とする請求項１に記載の自動販売機の庫内温度制御装置。
【発明の詳細な説明】
【技術分野】
【０００１】
本発明は、自動販売機の庫内温度制御装置に関し、より詳細には、例えば缶入り飲料等の商品を販売する自動販売機の収容庫の庫内温度を制御する庫内温度制御装置に関するものである。
【背景技術】
【０００２】
従来、例えば缶入り飲料等の商品を販売する自動販売機には、商品を収容する収容庫の庫内温度に応じて冷却機を駆動及び駆動停止（オン・オフ制御）させることにより、上記収容庫の庫内温度を所望の温度範囲に制御する庫内温度制御装置が設けられている。
【０００３】
かかる庫内温度制御装置においては、例えば夏季等における１日の電力需要が集中する特定時間帯に、庫内温度が所定温度を超えるまで冷却機を強制的に駆動停止させて消費電力量を低減させるピークカット運転、並びにこのピークカット運転に先立ち、冷却機を駆動及び駆動停止させて収容庫の庫内温度を通常運転時に比べて低い温度範囲（以下、低温度範囲とも称する）に制御するピークシフト運転を行うものが知られている。
【０００４】
このようなピークシフト運転及びピークカット運転を行う庫内温度制御装置では、ピークカット運転を行う前のピークシフト運転により収容庫の庫内温度及び商品の十分な冷やし込みが行われているものの、ピークシフト運転終了時点、すなわちピークカット運転開始時点における収容庫の庫内温度は低温度範囲内でバラツキがあった。つまり、ピークカット運転開始時点における庫内温度は、低温度範囲の下限温度近傍にある場合や、低温度範囲の上限温度近傍にある場合等のバラツキがあった。
【０００５】
このようなバラツキによりピークカット運転開始時点の庫内温度が低温度範囲の上限温度近傍にある場合、外気温等によってはピークカット運転に要する時間を十分に確保できず、消費電力量の低減化を図れない場合があった。
【０００６】
そこで、ピークシフト運転時における最後のオン・オフ制御において、低温度範囲における上下限温度と、ピークカット運転時刻と現在時刻との時間差と、冷却機の駆動時間とを特定の数式に当てはめて求めた温度が庫内温度を上回ったときに冷却機を強制的に駆動させて、ピークカット運転開始時点における庫内温度を低温度範囲の下限温度近傍に調整するようにした庫内温度制御装置が知られている（例えば、特許文献１参照）。
【先行技術文献】
【特許文献】
【０００７】
【特許文献１】特開平８−２３５４２６号公報
【発明の概要】
【発明が解決しようとする課題】
【０００８】
ところが、上述した特許文献１に提案されている庫内温度制御装置では、ピークシフト運転時における最後のオン・オフ制御において、低温度範囲における上下限温度と、ピークカット運転時刻と現在時刻との時間差と、冷却機の駆動時間とを特定の数式に当てはめて求めた温度が庫内温度を上回ったときに冷却機を強制的に駆動させているので、複雑な演算処理及びデータ比較処理等を必要とし、運転制御自体が複雑なものとなっていた。
【０００９】
本発明は、上記実情に鑑みて、商品に悪影響を与えることなく、簡単な運転制御で消費電力量の低減化を図ることができる自動販売機の庫内温度制御装置を提供することを目的とする。
【課題を解決するための手段】
【００１０】
上記目的を達成するために、本発明の請求項１に係る自動販売機の庫内温度制御装置は、商品を収容する収容庫の庫内温度を検知する庫内温度検知手段と、通常運転時には、前記庫内温度検知手段により検知された庫内温度と、予め設定された通常上下限温度とを比較して冷却機を駆動及び駆動停止させ、ピークシフト運転時には、前記庫内温度と、予め設定され、かつ前記通常上下限温度よりも低いピークシフト上下限温度とを比較して前記冷却機を駆動及び駆動停止させ、前記ピークシフト運転に連続して続くピークカット運転時には、前記庫内温度が予め決められたピークカット解除温度を超えるまで前記冷却機を強制的に駆動停止させる制御手段とを備えた自動販売機の庫内温度制御装置において、前記制御手段は、前記ピークシフト運転時における前記ピークカット運転に移行するまでの予め決められた移行時間は、前記冷却機を強制的に駆動させることを特徴とする。
【００１１】
また、本発明の請求項２に係る自動販売機の庫内温度制御装置は、上述した請求項１において、前記移行時間は、可変であることを特徴とする。
【発明の効果】
【００１２】
本発明の自動販売機の庫内温度制御装置によれば、制御手段がピークシフト運転時におけるピークカット運転に移行するまでの予め決められた移行時間の間、冷却機を強制的に駆動させるので、ピークシフト運転終了時点、すなわちピークカット運転開始時点における庫内温度を十分に低いものにすることができる。そのため、従来のようにピークカット運転開始時点における庫内温度をピークシフト下限温度近傍に調整する複雑な制御を必要としないで、庫内温度を十分に低いものとすることができ、しかも予め決められた移行時間の間だけ冷却機を強制的に駆動させるだけなので、商品に悪影響を与える虞れがない。そして、このように庫内温度を十分に低いものとすることができるので、ピークカット運転時においても庫内温度がピークカット解除温度に達するまで十分な時間を確保して時間の長大化を図ることができ、消費電力を低減させることができる。従って、商品に悪影響を与えることなく、簡単な運転制御で消費電力量の低減化を図ることができるという効果を奏する。
【図面の簡単な説明】
【００１３】
【図１】図１は、本発明の実施の形態である庫内温度制御装置が適用された自動販売機を模式的に示すものであり、自動販売機の内部構造を正面から見た場合を示す断面図である。
【図２】図２は、本発明の実施の形態である庫内温度制御装置が適用された自動販売機の断面側面図である。
【図３】図３は、図１及び図２に示した自動販売機に適用された庫内温度制御装置を示すブロック図である。
【図４】図４は、図３に示した制御部が実施する処理内容を示すフローチャートである。
【図５】図５は、図４に示した通常運転の処理内容を示すフローチャートである。
【図６】図６は、図４に示したピークシフト運転の処理内容を示すフローチャートである。
【図７】図７は、図６に示したオン・オフ制御の処理内容を示すフローチャートである。
【図８】図８は、図４に示したピークカット運転の処理内容を示すフローチャートである。
【図９】図９は、１日における時間を横軸とし、庫内温度を縦軸として示した図表である。
【発明を実施するための形態】
【００１４】
以下に添付図面を参照して、本発明に係る自動販売機の庫内温度制御装置の好適な実施の形態について詳細に説明する。
【００１５】
図１及び図２は、それぞれ本発明の実施の形態である庫内温度制御装置が適用された自動販売機を模式的に示すものであり、図１は自動販売機の内部構造を正面から見た場合を示す断面図、図２は断面側面図である。ここで例示する自動販売機は、本体キャビネット１を備えている。
【００１６】
本体キャビネット１は、前面が開口した直方状の形態をなすものである。この本体キャビネット１には、その内部に例えば２つの断熱仕切板２によって仕切られた３つの独立した商品収容庫３が左右に並んだ態様で設けてある。これら商品収容庫３は、缶入り飲料やペットボトル入り飲料等の商品を所望の温度に維持した状態で収容するためのもので、断熱構造を有している。
【００１７】
また、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００１８】
上記商品収容庫３には、それぞれ商品収納ラック６、搬出機構７、搬出シュータ８及び蒸発器９が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１９】
蒸発器９は、搬出シュータ８の下方域であって商品収容庫３の背面側底部に配設してある。この蒸発器９は、商品収容庫３の下方側にある機械室１０に配設された圧縮機１１、凝縮器１２及びキャピラリーチューブ１３とともに冷媒配管１４で順次接続されてなる冷媒回路１５を構成し、自身を通過する冷媒が蒸発することにより商品収容庫３の内部を冷却させるものである。
【００２０】
ここで、圧縮機１１は、冷媒を吸引し、吸引した冷媒を圧縮して高温高圧の状態（高温高圧冷媒）にするものである。凝縮器１２は、通過する冷媒を周囲空気との間で熱交換、すなわち通過する空気と周囲空気（例えば外気）とを熱交換させて凝縮させるもので、圧縮機１１とともに冷却機１１ａを構成するものである。この凝縮器１２の近傍には庫外送風ファンＦ１が設けてある。庫外送風ファンＦ１は、駆動することにより凝縮器１２の周囲を通過する外気の送風量を増減させるものである。キャピラリーチューブ１３は、通過する冷媒を減圧して断熱膨張させるものである。
【００２１】
上記蒸発器９の前方域に庫内送風ファンＦ２が配設してある。庫内送風ファンＦ２は、蒸発器９を通じて冷媒と熱交換した庫内空気を商品収容庫３の前方下部より吹き出し、背面ダクト１６を通じて循環させるものである。
【００２２】
図３は、図１及び図２に示した自動販売機に適用された庫内温度制御装置を示すブロック図である。ここで例示する庫内温度制御装置は、庫内温度センサＳ１、入力部２０及び制御部３０を備えて構成してある。
【００２３】
庫内温度センサＳ１は、商品収容庫３毎に設けてあり、商品収容庫３の庫内温度を検知する庫内温度検知手段である。この庫内温度センサＳ１は、図２には明示しないが、搬出シュータ８の下方域であって庫内送風ファンＦ２の前方域の所定部位に配設してある。このような庫内温度センサＳ１で検知された庫内温度は、信号として制御部３０に与えられることになる。
【００２４】
入力部２０は、例えばキーボードやリモコンのようなもので各種情報、指令、条件等を入力する入力手段である。この入力手段を通じて入力された情報等は、信号として制御部３０に与えられることになる。
【００２５】
制御部３０は、記憶部４０、あるいは図示せぬ内蔵メモリ等に記憶されたプログラムやデータにしたがって種々の処理を実施するものであり、本発明の特徴的なものとして、冷却機１１ａ（主に圧縮機１１）を駆動及び駆動停止させるものである。この制御部３０は、入力処理部３１、運転決定部３２、比較部３３及び冷却機駆動処理部３４を備えて構成してある。
【００２６】
入力処理部３１は、庫内温度センサＳ１や入力部２０から与えられた信号を入力処理し、必要に応じて記憶部４０に記憶させるものである。
【００２７】
運転決定部３２は、内蔵する時計（図示せず）により示される現在時刻と、記憶部４０に記憶される運転切替時刻とを比較して、運転を決定するものである。ここで記憶部４０に記憶される運転切替時刻としては、一例を挙げると、「１０時」と「１３時」とがある。「１０時」は、通常運転からピークシフト運転に切り替える時刻であり、「１３時」は、ピークシフト運転からピークカット運転に切り替える時刻である。従って、運転決定部３２は、現在時刻が１０時になれば、運転モードをピークシフト運転に決定し、現在時刻が１３時になれば、運転モードをピークカット運転に決定するものである。尚、後述するようにピークカット運転が終了した後は、通常運転に決定する。
【００２８】
比較部３３は、入力処理部３１を通じて入力された庫内温度、すなわち庫内温度センサＳ１により検知された庫内温度と、記憶部４０に記憶された各運転における上下限温度とを比較するものである。より詳細に説明すると、通常運転の場合には、庫内温度が通常下限温度（例えば３℃）を下回るか否か、あるいは庫内温度が通常上限温度（例えば７℃）を超えるか否かを比較するもので、ピークシフト運転の場合には、庫内温度がピークシフト下限温度（例えば１℃）を下回るか否か、あるいは庫内温度がピークシフト上限温度（例えば５℃）を超えるか否かを比較するものである。
【００２９】
ここで明らかなように、ピークシフト運転は、通常運転よりも庫内温度を低い温度域に制御しており、商品の冷やし込みを十分に行うための運転である。また、比較部３３は、ピークカット運転の場合には、庫内温度が記憶部４０に記憶されたピークカット解除温度（例えば１０℃）を超えるか否かを比較するものである。
【００３０】
冷却機駆動処理部３４は、冷却機１１ａに対して駆動指令及び駆動停止指令を与えて、冷却機１１ａの駆動処理を行うものである。この冷却機駆動処理部３４は、上記運転決定部３２を通じて、上述したピークシフト運転において現在時刻が記憶部４０に予め記憶された移行時刻（本実施の形態では、例えば１２時５０分）を経過したら、庫内温度にかかわらず冷却機１１ａに対して駆動指令を与えて冷却機１１ａを強制的に駆動させるものである。ここで移行時刻は、入力部２０を通じて入力されたものが入力処理部３１を通じて記憶部４０に記憶されたものであるが、かかる移行時刻の入力設定は自由に行うことができ、利用者が入力部２０を通じて任意の時刻を入力することにより変更可能なものである。
【００３１】
図４は、図３に示した制御部３０が実施する処理内容を示すフローチャートである。以下においては、かかる処理を説明しながら庫内温度制御装置の動作について説明することとする。
【００３２】
制御部３０の運転決定部３２は、現在時刻が運転切替時刻である１０時であるか否かを確認し、１０時を経過していない場合（ステップＳ１０１：Ｎｏ）、通常運転と決定し、これにより制御部３０は、図５に示すような通常運転の処理を実施する（ステップＳ１１０）。
【００３３】
図５は、図４に示した通常運転の処理内容を示すフローチャートである。この通常運転において制御部３０は、冷却機１１ａが駆動していて、入力処理部３１を通じて庫内温度センサＳ１より検知した庫内温度を入力した場合（ステップＳ１１１：Ｙｅｓ，ステップＳ１１２：Ｙｅｓ）、比較部３３を通じて入力した庫内温度が記憶部４０から読み出した通常下限温度を下回っているか否かを比較する（ステップＳ１１３）。庫内温度が通常下限温度を下回っている場合には（ステップＳ１１３：Ｙｅｓ）、制御部３０は、冷却機駆動処理部３４を通じて冷却機１１ａに駆動停止指令を与えて冷却機１１ａを駆動停止させ（ステップＳ１１４）、その後に手順をリターンさせて今回の処理を終了する。
【００３４】
このように冷却機１１ａを駆動停止させたので、商品収容庫３の庫内温度は上昇する方向に推移することになる。
【００３５】
上記ステップＳ１１３において庫内温度が通常下限温度を下回っていない場合（ステップＳ１１３：Ｎｏ）、すなわち庫内温度が通常下限温度以上である場合には、制御部３０は、冷却機１１ａに何等指示を与えず、冷却機１１ａを駆動させたままの状態を維持し（ステップＳ１１５）、その後に手順をリターンさせて今回の処理を終了する。
【００３６】
このように冷却機１１ａの駆動を維持することにより、商品収容庫３の庫内温度は、所望の温度範囲（３℃以上７℃以下）にありながら下降する方向に推移することになる。
【００３７】
一方、冷却機１１ａが駆動停止していて、入力処理部３１を通じて庫内温度センサＳ１より検知した庫内温度を入力した場合（ステップＳ１１１：Ｎｏ，ステップＳ１１６：Ｙｅｓ）、比較部３３を通じて入力した庫内温度が記憶部４０から読み出した通常上限温度を超えているか否かを比較する（ステップＳ１１７）。庫内温度が通常上限温度を超えている場合には（ステップＳ１１７：Ｙｅｓ）、制御部３０は、冷却機駆動処理部３４を通じて冷却機１１ａに駆動指令を与えて冷却機１１ａを駆動させ（ステップＳ１１８）、その後に手順をリターンさせて今回の処理を終了する。
【００３８】
このように冷却機１１ａを駆動させたので、商品収容庫３の庫内温度は下降する方向に推移することになる。
【００３９】
上記ステップＳ１１７において庫内温度が通常上限温度を超えていない場合（ステップＳ１１７：Ｎｏ）、すなわち庫内温度が通常上限温度以下である場合には、制御部３０は、冷却機１１ａに何等指示を与えず、冷却機１１ａを駆動停止させたままの状態を維持し（ステップＳ１１９）、その後に手順をリターンさせて今回の処理を終了する。
【００４０】
このように冷却機１１ａの駆動停止を維持することにより、商品収容庫３の庫内温度は、所望の温度範囲（３℃以上７℃以下）にありながら上昇する方向に推移することになる。
【００４１】
上述したステップＳ１０１において、制御部３０の運転決定部３２は、現在時刻が運転切替時刻である１０時に達した場合（ステップＳ１０１：Ｙｅｓ）、ピークシフト運転と決定し、これにより制御部３０は、図６に示すようなピークシフト運転の処理を実施する（ステップＳ１２０）。
【００４２】
図６は、図４に示したピークシフト運転の処理内容を示すフローチャートである。このピークシフト運転において制御部３０は、現在時刻が移行時刻（１２時５０分）に達しているか否かを運転決定部３２を通じて確認し、達していない場合（ステップＳ１２１：Ｎｏ）、図７に示すようなオン・オフ制御の処理を実施する（ステップＳ１３０）。
【００４３】
図７は、図６に示したオン・オフ制御の処理内容を示すフローチャートである。このオン・オフ制御において制御部３０は、冷却機１１ａが駆動していて、入力処理部３１を通じて庫内温度センサＳ１より検知した庫内温度を入力した場合（ステップＳ１３１：Ｙｅｓ，ステップＳ１３２：Ｙｅｓ）、比較部３３を通じて入力した庫内温度が記憶部４０から読み出したピークシフト下限温度を下回っているか否かを比較する（ステップＳ１３３）。庫内温度がピークシフト下限温度を下回っている場合には（ステップＳ１３３：Ｙｅｓ）、制御部３０は、冷却機駆動処理部３４を通じて冷却機１１ａに駆動停止指令を与えて冷却機１１ａを駆動停止させ（ステップＳ１３４）、その後に手順をリターンさせて今回の処理を終了する。
【００４４】
このように冷却機１１ａを駆動停止させたので、商品収容庫３の庫内温度は上昇する方向に推移することになる。
【００４５】
上記ステップＳ１３３において庫内温度がピークシフト下限温度を下回っていない場合（ステップＳ１３３：Ｎｏ）、すなわち庫内温度がピークシフト下限温度以上である場合には、制御部３０は、冷却機１１ａに何等指示を与えず、冷却機１１ａを駆動させたままの状態を維持し（ステップＳ１３５）、その後に手順をリターンさせて今回の処理を終了する。
【００４６】
このように冷却機１１ａの駆動を維持することにより、商品収容庫３の庫内温度は、所望の温度範囲（１℃以上５℃以下）にありながら下降する方向に推移することになる。
【００４７】
一方、冷却機１１ａが駆動停止していて、入力処理部３１を通じて庫内温度センサＳ１より検知した庫内温度を入力した場合（ステップＳ１３１：Ｎｏ，ステップＳ１３６：Ｙｅｓ）、比較部３３を通じて入力した庫内温度が記憶部４０から読み出したピークシフト上限温度を超えているか否かを比較する（ステップＳ１３７）。庫内温度がピークシフト上限温度を超えている場合には（ステップＳ１３７：Ｙｅｓ）、制御部３０は、冷却機駆動処理部３４を通じて冷却機１１ａに駆動指令を与えて冷却機１１ａを駆動させ（ステップＳ１３８）、その後に手順をリターンさせて今回の処理を終了する。
【００４８】
このように冷却機１１ａを駆動させたので、商品収容庫３の庫内温度は下降する方向に推移することになる。
【００４９】
上記ステップＳ１３７において庫内温度がピークシフト上限温度を超えていない場合（ステップＳ１３７：Ｎｏ）、すなわち庫内温度がピークシフト上限温度以下である場合には、制御部３０は、冷却機１１ａに何等指示を与えず、冷却機１１ａを駆動停止させたままの状態を維持し（ステップＳ１３９）、その後に手順をリターンさせて今回の処理を終了する。
【００５０】
このように冷却機１１ａの駆動停止を維持することにより、商品収容庫３の庫内温度は、所望の温度範囲（１℃以上５℃以下）にありながら上昇する方向に推移することになる。
【００５１】
上述したピークシフト運転において現在時刻が移行時刻を経過した場合（ステップＳ１２１：Ｙｅｓ）、制御部３０は、庫内温度に関係なく、冷却機駆動処理部３４を通じて冷却機１１ａに駆動指令を与え、冷却機１１ａを強制的に駆動させ（ステップＳ１２２）、その後に手順をリターンさせて今回の処理を終了する。
【００５２】
上述したようなピーク運転の処理を実施した制御部３０は、現在時刻が運転切替時刻である１３時に達しているか否かを運転決定部３２を通じて確認し、達した場合（ステップＳ１０２：Ｙｅｓ）、図８に示すようなピークカット運転の処理を実施する（ステップＳ１４０）。
【００５３】
図８は、図４に示したピークカット運転の処理内容を示すフローチャートである。このピークカット運転において制御部３０は、冷却機駆動処理部３４を通じて冷却機１１ａに駆動停止指令を与えて、冷却機１１ａを駆動停止にさせる（ステップＳ１４１）。その後、入力処理部３１を通じて庫内温度を入力した場合（ステップＳ１４２：Ｙｅｓ）、制御部３０は、比較部３３を通じて庫内温度が記憶部４０から読み出したピークカット解除温度（１０℃）を超えるか否かを比較する（ステップＳ１４３）。その結果、庫内温度がピークカット解除温度を超える場合に（ステップＳ１４３：Ｙｅｓ）、制御部３０は、冷却機駆動処理部３４を通じて冷却機１１ａに駆動指令を与えて冷却機１１ａを駆動させ（ステップＳ１４４）、その後に手順をリターンさせて今回の処理を終了する。
【００５４】
図９は、１日における時間を横軸とし、庫内温度を縦軸として示した図表である。図４〜図８に示した各処理を総括して述べると、１０時より前には通常運転を行うことにより、庫内温度を所望の温度範囲（３℃以上７℃以下）に維持することができる。
【００５５】
そして、現在時刻が１０時になったらピークシフト運転に切り替わり、予め設定した移行時刻（１２時５０分）までオン・オフ制御が行われ、庫内温度を所望の温度範囲（１℃以上５℃以下）に維持することができる。このように約３時間に亘りピークシフト運転を行うことにより、商品収容庫３の内部のみならず、商品収納ラック６に収納された商品を十分に冷やし込むことができる。
【００５６】
そして、現在時刻が移行時刻である１２時５０分を経過したら、冷却機１１ａを強制的に駆動させることにより、庫内温度を十分に低下させることができる。このように移行時刻を１２時５０分と設定した場合には、ピークカット運転の開始時刻が１３時であるから冷却機１１ａを強制的に駆動させる時間は１０分間となり、かかる時間を移行時間と称する。
【００５７】
このようにして移行時間の間、冷却機１１ａを強制的に駆動させ、その後運転切替時刻である１３時になったらピークカット運転に切り替わり、冷却機１１ａを駆動停止させる。これにより、庫内温度は時間の経過とともに上昇する方向に推移する。そして、庫内温度がピークカット解除温度を超えた時刻（ここでは１６時）に、ピークカット運転から通常運転に切り替わり、庫内温度を所望の温度範囲（３℃以上７℃以下）に維持する。
【００５８】
本実施の形態である庫内温度制御装置においては、庫内温度及び商品を冷やし込むピークシフト運転においてピークカット運転に移行する移行時間（１０分間）、庫内温度に関わらず冷却機１１ａを強制的に駆動させるので、ピークシフト運転終了時点、すなわちピークカット運転開始時刻（１３時）における庫内温度を十分に低いものにすることができる。そのため、従来のようにピークカット運転開始時刻における庫内温度をピークシフト下限温度近傍に調整する複雑な制御を必要としないで、庫内温度を十分に低いものとすることができ、しかも予め決められた移行時間の間だけ冷却機１１ａを強制的に駆動させるだけなので、商品に悪影響を与える虞れがない。そして、このように庫内温度を十分に低いものとすることができるので、ピークカット運転時においても庫内温度がピークカット解除温度に達するまで十分な時間を確保して時間の長大化を図ることができ、消費電力を低減させることができる。従って、商品に悪影響を与えることなく、簡単な運転制御で消費電力量の低減化を図ることができる。
【００５９】
また、上記庫内温度制御装置によれば、冷却機１１ａを強制的に駆動させる移行時間は、入力部２０により入力設定された可変なものである。そのため、自動販売機の大きさや設置条件等に応じて移行時間を適宜変更することができ、種々の自動販売機に適用することが可能である。
【産業上の利用可能性】
【００６０】
以上のように、本発明に係る自動販売機の庫内温度制御装置は、例えば缶入り飲料等の商品を販売する自動販売機の収容庫の庫内温度を制御するのに有用である。
【符号の説明】
【００６１】
１１ａ    冷却機
１１      圧縮機
１２      凝縮器
２０      入力部
３０      制御部
３１      入力処理部
３２      運転決定部
３３      比較部
３４      冷却機駆動処理部
４０      記憶部
Ｓ１      庫内温度センサ
【図１】
2010238071.tif 000003
【図２】
2010238071.tif 000004
【図３】
2010238071.tif 000005
【図４】
2010238071.tif 000006
【図５】
2010238071.tif 000007
【図６】
2010238071.tif 000008
【図７】
2010238071.tif 000009
【図８】
2010238071.tif 000010
【図９】
2010238071.tif 000011